(57)【特許請求の範囲】
【請求項１】
各々が、貫通する開口を有するフランジと、前記フランジの第１の表面から垂直に延び、前記開口と概して同心円状に配置されたルーメンを有する管状セグメントとを含む、第１及び第２の部分と、
各々が、前記管状セグメントのそれぞれ１つの末端部分に配置され、両面を有するパネルの開口を介して、前記第１及び第２の部分を噛合方式で連結するように構成された、一対の相補的係合機構と
を備え、
前記フランジの各々の前記第１の表面が、前記パネルの前記両面の対応する１つに隣接して保持され、
前記管状セグメントのそれぞれの前記ルーメンが、互いに概して同心円状に配置され、
前記係合機構のうちの少なくとも１つが、前記管状セグメントのうちの関連する１つの管状セグメントの末端から、前記管状セグメントのうちのもう一方の管状セグメントの末端を越えて縦方向に延びる少なくとも１つのフィンガを含む、
フィードスルー。
【請求項２】
各々が、貫通する開口を有するフランジと、前記フランジの第１の表面から垂直に延び、前記開口と概して同心円状に配置されたルーメンを有する管状セグメントとを含む、第１及び第２の部分と、
各々が、前記管状セグメントのそれぞれ１つの末端部分に配置され、両面を有するパネルの開口を介して、前記第１及び第２の部分を噛合方式で連結するように構成された、一対の相補的係合機構と
を備え、
前記フランジの各々の前記第１の表面が、前記パネルの前記両面の対応する１つに隣接して保持され、
前記管状セグメントのそれぞれの前記ルーメンが、互いに概して同心円状に配置され、
前記係合機構のうちの少なくとも１つが、前記管状セグメントのうちの関連する１つの管状セグメントの末端に形成されたキャスタレーションを含む、
フィードスルー。
【請求項３】
各々が、貫通する開口を有するフランジと、前記フランジの第１の表面から垂直に延び、前記開口と概して同心円状に配置されたルーメンを有する管状セグメントとを含む、第１及び第２の部分と、
各々が、前記管状セグメントのそれぞれ１つの末端部分に配置され、両面を有するパネルの開口を介して、前記第１及び第２の部分を噛合方式で連結するように構成された、一対の相補的係合機構と
を備え、
前記フランジの各々の前記第１の表面が、前記パネルの前記両面の対応する１つに隣接して保持され、
前記管状セグメントのそれぞれの前記ルーメンが、互いに概して同心円状に配置され、
前記係合機構のうちの少なくとも１つが、その末端から後方に延びるスロットを有する前記管状セグメントの対応する１つを含む、
フィードスルー。
【請求項４】
各々が、貫通する開口を有するフランジと、前記フランジの第１の表面から垂直に延び、前記開口と概して同心円状に配置されたルーメンを有する管状セグメントとを含む、第１及び第２の部分と、
各々が、前記管状セグメントのそれぞれ１つの末端部分に配置され、両面を有するパネルの開口を介して、前記第１及び第２の部分を噛合方式で連結するように構成された、一対の相補的係合機構と
を備え、
前記フランジの各々の前記第１の表面が、前記パネルの前記両面の対応する１つに隣接して保持され、
前記管状セグメントのそれぞれの前記ルーメンが、互いに概して同心円状に配置され、
各々が、前記ルーメンのそれぞれ１つの内表面に配置された、一対の導電経路を更に含み、前記第１及び第２の部分が前記開口を介して連結されるときに、前記導電経路が互いに導電的に連結される、
フィードスルー。
【請求項５】
前記係合機構のうちの少なくとも１つが、少なくとも１つの半径方向に突出する歯を含む、請求項４に記載のフィードスルー。
【請求項６】
各々が、前記ルーメンのそれぞれ１つの内表面に配置された、一対の導電経路を更に含み、前記第１及び第２の部分が前記開口を介して連結されるときに、前記導電経路が互いに導電的に連結される、請求項１から３の何れか１項に記載のフィードスルー。
【請求項７】
前記第１及び第２の部分の前記フランジの各々が、その前記第１の表面の反対に第２の表面を含み、
前記導電経路の各々が、対応する前記第２の表面まで延びる、請求項４から６の何れか１項に記載のフィードスルー。
【請求項８】
前記導電経路のうちの少なくとも１つが、金属めっきを含む、請求項４から７の何れか一項に記載のフィードスルー。
【請求項９】
前記第１及び第２の部分のうちの少なくとも１つが、誘電材料を含む、請求項１から８の何れか一項に記載のフィードスルー。
【請求項１０】
前記第１及び第２の部分のうちの少なくとも１つが、プラスチック材料を含む、請求項１から８の何れか一項に記載のフィードスルー。
【請求項１１】
前記プラスチック材料が、熱可塑性プラスチック又は熱硬化性プラスチックを含む、請求項１０に記載のフィードスルー。
【請求項１２】
前記プラスチック材料が、埋め込まれた繊維で強化されている、請求項１０または１１に記載のフィードスルー。
【請求項１３】
前記第１及び第２の部分が前記開口を介して連結されるときに、前記第１及び第２の部分を、前記管状セグメントの周方向に関し、互いに対して選択された角度位置に方向付けるように構成されたインデックス機構を更に含む、請求項１から１２の何れか一項に記載のフィードスルー。
【請求項１４】
方法であって、
フィードスルーの第１及び第２の部分を、パネルを通って延びる穴の反対の端に挿入すること
を含み、前記第１及び第２の部分の各々が、
貫通する開口を有するフランジと、
前記フランジの第１の表面から垂直に延びる管状セグメントと、
前記開口と概して同心円状に配置されたルーメンと、
一対の相補的係合機構の１つと
を含み、前記相補的係合機構は各々が、前記管状セグメントのうちの対応する１つの管状セグメントの末端部分に配置され、押しつけられて互いに縦方向に係合するときに、前記第１及び第２の部分を連結するように構成されており、前記方法はさらに、
前記係合機構が相補的噛合方式で互いに係合し、前記開口を介して前記第１及び第２の部分を連結し、前記フランジの各々の前記第１の表面が前記パネルの両面の対応する１つに隣接して保持され、前記管状セグメントのそれぞれの前記ルーメンが互いに概して同心円状に配置されるように、前記第１及び第２の部分を前記穴を介して縦方向に互いに向かって付勢することと、
前記パネルの１つの側から前記パネルのもう１つの側に前記フィードスルーを介して電気信号を伝達すること
を含み、
前記伝達することが、
前記管状セグメントの前記ルーメンの各々の内表面に一対の導電経路の１つを配置することと、
前記導電経路が互いに導電的に連結されるように、前記第１及び第２の部分を前記パネルの前記穴を介して互いに連結させることと
を含む、方法。
【請求項１５】
前記付勢することが、前記第１及び第２の部分の１つにおける少なくとも１つの半径方向に突出する歯を、前記第１及び第２の部分のもう一方における複数の半径方向に突出する歯と嵌合させることを含む、請求項１４に記載の方法。
【請求項１６】
前記嵌合させることが、前記少なくとも１つの半径方向に突出する歯を前記複数の半径方向に突出する歯に螺合させることを含む、請求項１５に記載の方法。
【発明の詳細な説明】
【技術分野】
【０００１】
本開示は、フィードスルー、概して、特に、電気信号などの信号をパネルの一方からパネルの他方まで伝達可能にする、２つの部分を含んだ噛合フィードスルーに関する。
【背景技術】
【０００２】
多くの分野で、壁、バリア、タンク又は他の境界の一方から他方へ、例えば電気信号などの信号を伝達することがしばしば必要である。例えば、軌道衛星などで使用される太陽電池パネルの場合に、パネルを比較的厚くする（典型的には１−３ｃｍ）ことができ、強度及び剛性のために、例えばアルミニウムなどの、導電性ハニカムコアを組み込むことができる。パネルの一方に太陽電池を装着することができるのに対し、パネルの反対側又は裏側には、電池用の、例えば、電力と切換の相互接続などの回路及び関連配線を組み込むことができる。電池と裏側回路との間のワイヤ伝達電気信号は、典型的には、パネルのエッジ周囲ではなく、パネルを通過し、よって、パネル内及び電気信号が通過する開口付近に位置する任意の鋭いエッジから保護されなければならない。
【０００３】
現在、パネルの前面と裏面との間の相互接続は、パネルの厚さよりわずかに大きい長さに切断された配管を挿入することによって行われる。次いで、配管は、パネルの前面及び裏面に接着される。この手法は、実施するのに手がかかり、時間を浪費するものであり、パネルに対する導体の短絡のリスクを負う。したがって、業界には、フィードスルー（例えば、相互接続を含む）の改良された技術が必要とされる。
【発明の概要】
【０００４】
本開示の例に従って、新規のツーピースの噛合するフィードスルーが開示され、信頼でき、安価で、設置しやすく、フィードスルーを通過するワイヤをパネル内及び終端穴周囲の鋭いエッジから保護するフィードスルーであって、任意選択的に、分離したワイヤを使用せずに、信号にパネルを通過させることができる導電経路を含むことができるフィードスルーを作成及び使用するための方法がともに開示される。
【０００５】
１つの例では、対向面を有するパネルを介して信号を送るための２つの部分を含んだ噛合フィードスルーは、各々がそこを通る開口を有するフランジと、フランジの第１の表面から垂直に延び、開口と概して同心円状に配置されたルーメンを有する管状セグメントとを含む、第１及び第２の部分を含む。一対の相補的係合機構は、それぞれ、管状セグメントの末端部分に配置され、噛合方式でパネルの開口を介して第１及び第２の部分を連結するように構成されており、フランジの各々の第１の表面が、パネルの対向面の対応する１つに隣接して保持され、管状セグメントのそれぞれ１つのルーメンが、互いに概して同心円状に配置されている。
【０００６】
別の例では、方法は、対向する側面を有するパネルを通った穴を形成することと、フィードスルーを提供することとを含む。フィードスルーは、各々がそこを通る開口を有するフランジと、フランジの第１の表面から垂直に延びる管状セグメントとを含む。各管状セグメントは、関連するフランジの開口と概して同心円状に配置されたルーメンと、それぞれ、その末端部分に配置され、押しつけられて互いに縦方向に穴内部で係合するときに、第１及び第２の部分を連結するように構成された一対の相補的係合機構とを有している。第１及び第２の部分の管状セグメントのそれぞれ１つは、穴の反対の端に挿入され、２つの部分が互いに向かって押しつけられ、よって、係合機構が相補的噛合方式で互いに係合し、かつ第１及び第２の部分を開口を介して連結し、フランジの各々の第１の表面がパネルの対向面の対応する１つに隣接して保持され、管状セグメントのそれぞれ１つのルーメンが互いに概して同心円状に配置される。
【０００７】
代替的には、電気信号は、２つの部分の管状セグメントの同心円をなすルーメンを介して導電ワイヤを挿入することによって、又は代替的には、各々が２つの管状セグメントのルーメンのそれぞれ１つの内表面に配置された、一対の導電経路を形成し、第１及び第２の部分が開口を介して連結されるときに、導電経路を互いに導電的に連結することによって、パネルの一方からパネルの他方へフィードスルーを介して伝達される。
【０００８】
１つの態様では、フィードスルーは、第１及び第２の部分であって、各々がそこを通る開口を有するフランジと、フランジの第１の表面から垂直に延び、開口と概して同心円状に配置されたルーメンを有する管状セグメントとを含む、第１及び第２の部分を含む。一対の相補的係合機構は、それぞれ、管状セグメントの末端部分に配置され、噛合方式で対向する側面をパネルの開口を介して第１及び第２の部分を連結するように構成されており、フランジの各々の第１の表面が、パネルの対向面の対応する１つに隣接して保持され、管状セグメントのそれぞれ１つのルーメンが、互いに概して同心円状に配置されている。
【０００９】
好ましくは、フィードスルーの第１及び第２の部分の少なくとも１つが、誘電材料を含む。
【００１０】
好ましくは、第１及び第２の部分の少なくとも１つが、プラスチック材料を含む。
【００１１】
好ましくは、プラスチック材料が、熱可塑性プラスチック又は熱硬化性プラスチックを含む。
【００１２】
好ましくは、プラスチック材料が、埋め込まれた繊維で強化されている。
【００１３】
好ましくは、係合機構２２６、２２８のうちの少なくとも１つが、少なくとも１つの半径方向に突出する歯を含む。
【００１４】
好ましくは、係合機構のうちの少なくとも１つが、管状セグメントの関連する１つの末端から、管状セグメントのもう一方の末端を越えて、縦方向に延びる少なくとも１つのフィンガを含む。
【００１５】
好ましくは、係合機構のうちの少なくとも１つが、管状セグメントの関連する１つの末端に形成されたキャスタレーションを含む。
【００１６】
好ましくは、係合機構のうちの少なくとも１つが、その末端から後方に延びるスロットを有する管状セグメントの対応する１つを含む。
【００１７】
好ましくは、フィードスルーは、各々がルーメンのそれぞれ１つの内表面に配置された一対の導電経路を更に含み、第１及び第２の部分が開口を介して連結されるときに、導電経路が互いに導電的に連結される。
【００１８】
好ましくは、フィードスルーは、第１及び第２の部分が開口を介して連結されるときに、第１及び第２の部分を互いに対して選択された角度位置に方向付けるように構成されたインデックス機構を更に含む。
【００１９】
好ましくは、第１及び第２の部分のフランジの各々が、その第１の表面に対向する第２の表面を含み、導電経路の各々が、第２の表面の対応する１つまで延びる。
【００２０】
好ましくは、導電経路のうちの少なくとも１つが、金属めっきを含む。
【００２１】
好ましくは、係合機構のうちの少なくとも１つが、一又は複数の半径方向に突出する歯を含む。
【００２２】
別の態様では、フィードスルーの第１及び第２の部分を、パネルを通って延びる穴の反対の端に挿入することであって、第１及び第２の部分の各々が、それを通る開口を有するフランジと、フランジの第１の表面から垂直に延びる管状セグメントと、開口と概して同心円状に配置されたルーメンと、一対の相補的係合機構の１つであって、各々が、管状セグメントの対応する１つの末端部分に配置され、押しつけられて互いに縦方向に係合するときに、第１及び第２の部分を連結するように構成された、一対の相補的係合機構の１つとを含む、挿入することと、係合機構が相補的噛合方式で互いに係合し、かつ第１及び第２の部分を開口を介して連結し、フランジの各々の第１の表面がパネルの対向する側面の対応する１つに隣接して保持され、管状セグメントのそれぞれのルーメンが互いに概して同心円状に配置されるように、第１及び第２の部分を穴を介して縦方向に互いに向かって付勢することとを含む方法が提供される。
【００２３】
好ましくは、付勢することが、第１及び第２の部分の１つにおける少なくとも１つの半径方向に突出する歯を、第１及び第２の部分のもう一方における複数の半径方向に突出する歯と嵌合させることを含む。
【００２４】
好ましくは、嵌合させることが、少なくとも１つの半径方向に突出する歯を複数の半径方向に突出する歯に螺合させることを含む。
【００２５】
好ましくは、方法は、パネルの一方からパネルの他方へフィードスルーを介して電気信号を伝達することを更に含む。
【００２６】
好ましくは、伝達することが、第１及び第２の部分の管状セグメントの同心円をなすルーメンを介して導電ワイヤを挿入することを含む。
【００２７】
好ましくは、伝達することが、管状セグメントのルーメンの各々の内表面に一対の導電経路の１つを配置することと、導電経路が互いに導電的に連結されるように、第１及び第２の部分をパネルの穴を介して互いに連結させることとを含む。
【００２８】
本開示の２つの部分を含んだ噛合フィードスルー、並びにフィードスルーを作成及び使用するための例示的方法は、以下に続く本開示の一又は複数の例の詳細な説明を考慮することにより、当業者に理解されるだろう。本説明では、添付図面の様々な図が参照されるだろうが、それらについては以下で簡単に説明され、その中で示された要素と類似の要素を特定するために類似の参照番号が使用される。
【図面の簡単な説明】
【００２９】
【図１】先行技術による、短い長さの絶縁ワイヤを含むフィードスルーを組み込むパネルの部分断面図である。
【図２Ａ】本開示による、フィードスルーの例を組み込むパネルの部分断面図である。
【図２Ｂ】そこを通って延びる任意選択的導電経路を示す、図２Ａの代替的な例示的フィードスルーの断面図である。
【図３Ａ】本開示による、フィードスルーの別の例の端及び側面の斜視図である。
【図３Ｂ】図３Ａの例示的フィードスルーの中間部分の拡大された側面の斜視図である。
【図３Ｃ】図３Ａのフィードスルーの一部の末端及び側面の斜視図である。
【図３Ｄ】図３Ａのフィードスルーの別の部分の末端及び側面の斜視図である。
【図４Ａ】フィードスルーの別の例の端及び側面の斜視図である。
【図４Ｂ】図４Ａの例示的フィードスルーの端及び側面の断面斜視図である。
【図４Ｃ】図４Ａのフィードスルーの一部の末端及び側面の斜視図である。
【図４Ｄ】図４Ａのフィードスルーの別の部分の末端及び側面の斜視図である。
【図５】フィードスルーの別の例の端及び側面の断面斜視図である。
【図６Ａ】フィードスルーの別の例の端及び側面の斜視図である。
【図６Ｂ】図６Ａの例示的フィードスルーの端及び側面の断面斜視図である。
【図６Ｃ】図６Ａのフィードスルーの一部の末端及び側面の斜視図である。
【図６Ｄ】図６Ａのフィードスルーの別の部分の末端及び側面の斜視図である。
【図７】本開示の新規のフィードスルーを使用するための例示的方法の機能的ブロック図である。
【発明を実施するための形態】
【００３０】
本開示に従って、新規のツーピースの噛合フィードスルーが開示され、信頼でき、安価で、設置しやすく、フィードスルーを通過するワイヤをパネル内及び終端穴周囲の鋭いエッジから保護するフィードスルーであって、任意選択的に、分離したワイヤを使用せずに、信号にパネルを通過させることができる導電経路を含むことができるフィードスルーを作成及び使用するための方法がともに開示される。
【００３１】
図１は、先行技術による、フィードスルー１２を組み込むパネル１０の部分断面図である。パネル１０は、例えば、２つの対向する面シート１６及び１８の間に挟まれている、例えばアルミニウム合金などから作られたハニカムコア１４を有する太陽電池パネルを含むことができる。１つの可能な構成では、パネル１０の１つの面又は側面、例えば上面又は前面に、太陽電池（図示されず）を装着することができるのに対して、パネル１０の対向する底面又は後面には、関連配線を組み込むことができる。これらのワイヤがパネル１０を通過し、かつハニカムコア１４が鋭いエッジを示し導電性であり得るので、それらは、パネル１０を通り終端穴周囲にあり得る鋭いエッジから保護される必要がある。
【００３２】
図１に示される１つの例では、電池と後面配線との間で電気信号を伝達するワイヤは、従来のフィードスルー１２によってパネル１０を介して運ばれる。従来のフィードスルー１２は、例えば掘削又は別のプロセス等によって形成された貫通開口２４を通り、パネル１０を通り、次いで、貫通開口２４の反対の端において、面シート１６及び１８の隣接する１つと接着剤２６で結合される、短い長さの配管２５を備える。絶縁することができないか絶縁材料のジャケット２２によって囲むことができるかのどちらかである、例えば銅などの導電ワイヤ２０は、次いで、パネル１０の前面から後面まで配管２５のルーメンを通過する。
【００３３】
貫通開口２４内部での配管の設置には、各片をパネル１０の厚さにカスタムカットするための手作業を要する。加えて、チューブの設置には、接着剤の使用が必要であり、散らかし、混合、開放時間及び硬化要件の関連する複雑さが伴う。次いで必要とされるものは、信頼でき、安価で、設置しやすく、フィードスルーを通過するワイヤをパネル内及び終端穴周囲の鋭いエッジから保護するフィードスルーであって、任意選択的には、分離した別個のワイヤを使用せずに、信号にパネルを通過させることができる導電経路２３６、２３８を含むことができるフィードスルーである。
【００３４】
図２Ａは、本開示によるツーピースの噛合フィードスルー２００の例を組み込むパネル１０の部分断面図であり、図２Ｂは、図２Ａの例示的フィードスルー２００の代替例の断面図であり、フィードスルー２００の共通ルーメン２３０を通ってその一端から他端までの連続的に延びる、任意選択的な導電経路が示される。
【００３５】
図２Ａ及び図２Ｂに示されるように、フィードスルー２００は、第１の部分２０２と第２の部分２０４とを備える。各部分２０２及び２０４は、そこを通って延びる開口２１０又は２１２を有する関連フランジ２０６又は２０８を含む。管状セグメント２１４又は２１６は、フランジ２０６又は２０８の対応する１つの第１の表面２１８又は２２０から垂直に延び、管状セグメント２１４及び２１６の各々は、対応する開口２１０又は２１２を有する、概して同心円状に配置された対応するルーメン２２２又は２２４を有している。
【００３６】
重要なことに、第１の部分２０２及び第２の部分２０４の各々の管状セグメント２１４及び２１６は、末端部分、即ち、管状セグメント２１４又は２１６の関連する１つの対応するフランジ２０６又は２０８に反対の端部にそれぞれ配置されている一対の相補的係合機構２２６及び２２８を更に含む。図２Ａに示されるように、係合機構２２６及び２２８は、互いに係合し、噛合方式で対向する側面又は表面を有するパネル１０の開口２４を介して、第１及び第２の部分２０２、２０４を連結するように構成され、よって、フランジ２０６、２０８の各々の第１の表面２１８、２２０が、パネル１０の対向面の対応する１つに隣接して保持され、フィードスルー２００、ひいてはパネル１０を通って完全に延びる「共通のルーメン」２３０（図２Ａ及び図２Ｂに破線で示される）を形成するために、管状セグメントのそれぞれ１つのルーメン２２２、２２４が、互いに概して同心円状に配置されている。
【００３７】
図２Ａ及び図２Ｂに示された例では、相補的係合機構２２６及び２２８はそれぞれ、第１の部分２０２の管状セグメント２１４の内周面周囲を周方向に延びる、一組の半径方向に突出する歯と、第２の部分２０４の管状セグメント２１６の外周面周囲を周方向に延びる、対応する組の半径方向に突出する歯とを備える。
【００３８】
加えて、いくつかの例では、２つの部分２０２及び２０４の半径方向に突出する歯は、先述のように、縦方向に噛合し得るか、又は代替的には、従来のナット及びボルト方式で、縦方向に螺合し得る、不連続な歯の代わりに、管状セグメント２１４及び２１６のそれぞれ１つに配置された相補的螺旋ねじ山を含むことができる。
【００３９】
図２Ａ及び図２Ｂの例示的例では、第１及び第２の部分２０２及び２０４はまた、概して円筒形状として示されている。しかしながら、当業者は理解するだろうが、フランジ２０６及び２０８を含む２つの部分２０２及び２０４の断面形状は、自身の貫通開口２４のように、当面の特定の用途に応じて、例えば、多角形又は楕円形など、他の形状を有することができる。また、当業者が認識し得るように、図２Ａ及び図２Ｂの図示された例示的フィードスルー２００において、第１の部分２０２の管状セグメント２１４は、パネル１０の貫通開口２４の直径に対応する外周を有するように図示されているのに対して、第２の部分２０４の管状セグメント２１６の外径は、セグメント２１６（ｉｔ）が第１の部分２０２の管状セグメント２１４のルーメン２２２に同軸上にスライドできるようにサイズ決定される。しかしながら、他の可能な例と関連して以下で検討されるように、同一又は実質的に類似の外径及び／若しくは内径又は外幅及び／若しくは内幅を有するように管状セグメント２１４を構成することも可能であり、実施例の係合機構について、これらは、再び、当面の用途に応じて、フィードスルーの縦及び／又は横の両パネルに対して、対称か非対称かのどちらかに配置することができる。
【００４０】
図２Ａ及び図２Ｂに示されるように、第２の部分２０４の管状セグメント２１６の末端には、テーパ面２３２を提供することができ、このため管状セグメント２１６の末端が押されて第１の部分２０２の管状セグメント２１４の末端の対向面２３４と当接するときに、テーパ面２３２は、第２の部分２０４の管状セグメント２１６の末端部分の側壁を内側に向かって半径方向に圧縮し又は歪め、及び／又は第１の部分２０２の管状セグメント２１４の末端部分の側壁を外側に向かって半径方向に拡大し、よって２つの部分２０２及び２０４が貫通開口２４内部にともに押されるように、係合機構のそれぞれの歯を上に向かって互いの上に連続して縦方向にスライドすることができる。勿論、テーパ面２３２は、代替的には、第１の部分２０２の管状セグメント２１４の末端に位置することができ、又は実際には、管状セグメント２１４及び２１６の両末端には、上述の半径方向の拡大／圧縮機能をもたらすために相補的斜角／テーパ面を提供することができる。加えて又は代替的に、いくつかの代替例と関連して以下で検討されるように、２つの部分２０２及び２０４の管状セグメント２１４及び２１６の側壁で、他の特徴を実施することができ、相補的係合機構２２６及び２２８の互いに噛み合う歯の係合中に、それらの半径方向の拡大及び／又は圧縮が促進される。
【００４１】
上述のように、新規フィードスルー２００の所望の特徴の１つは、フィードスルー２００を通って延びる任意の導体とそれが通って延びるパネル１０との間に電気絶縁を提供することである。この点で、アクリロニトリル・ブタジエン・スチレン（ＡＢＳ）若しくはナイロンなどの熱可塑性物質、又はポリウレタン若しくはエポキシ樹脂などの熱硬化性プラスチック材料を含むことができる、例えば、強度の高いプラスチック材料などの誘電材料の２つの部分２０２、２０４を作成することが有利である。例として、宇宙飛行環境に適したプラスチック材料は、ＷＩＮＤＦＯＲＭ  ＸＴ、ポリアミドとＣＡＲＢＯＮＤとの複合材料を含むことができるだろう。概して、宇宙飛行環境での使用を目的とした材料は、摂氏−７５０度から摂氏＋１７５度までの範囲に及ぶ可能性のある環境に適しているべきであり、低アウトガス性を示し、ＡＳＴＭ  Ｅ５９５−７７／８４／９０試験をパスすべきである。有利には、いくつかの例では、部分２０２及び２０４は、精密射出成形技術を使用して成形することができ、所望であれば、更なる強度のために、ガラス繊維、炭素繊維、アラミド繊維、又はボロン繊維などの埋め込み繊維で強化することができる。
【００４２】
先ほど検討されたように、場合によっては、フィードスルー２００を通した導電ワイヤの挿入に頼らずに、信号をパネル１０の一方から他方へ伝達することができるように、フィードスルー２００を通る導電経路を提供することが所望でありうる。図２Ｂに示されるように、２つの管状セグメント２１４及び２１６のルーメン２２２、２２４の関連する１つの内表面にそれぞれ配置された一対の導電経路２３６及び２３８を提供し、第１及び第２の部分２０２、２０４が貫通開口２４を介して連結するときに、２つの導電経路２３６、２３８が互いに導電的に連結されるようにそれらを配置することによって、これを有利に実現することができる。
【００４３】
図２Ｂの特定の例で示されるように、２つの導電経路２３６、２３８の形成は、例えば、金又は銅などの、導電性金属めっきでそれらの内表面のそれぞれ１つをめっきすること、代替的には、金属箔を成形する又は内壁表面に挿入することを含むことができ、よって、２つの係合機構２２６、２２８のそれぞれの歯が設置中に互いに嵌合するとき、例えば、管状セグメント２１６の末端のテーパ面２３２に配置された、導電経路２３８の少なくとも一部は、他の導電経路２３６と導電的に機械接触して配置される。
【００４４】
勿論、導電経路２３６及び２３８の他の実施形態が可能である。例えば、導電経路２３６及び２３８は、フィードスルー２００の設置中に連結するそれぞれの端を有する、２つの管状セグメント２１４及び２１６の内表面にそれぞれ配置された導電性金属の縦帯を備えることができよう。そのような例では、第１及び第２の部分２０２、２０４が貫通開口２４を介して連結されるときに、互いに対して選択された角度位置で第１及び第２の部分２０２、２０４を方向付けるように構成され、よって、２つの導電帯のそれぞれの端が互いに一直線に配置される、以下で検討される相補的な縦方向の溝形配置などの、インデックス機構を提供することが所望であり得る。
【００４５】
図２Ｂの特定の例では、第１及び第２の部分２０２及び２０４のフランジ２０６及び２０８の各々は、その対応する第１の表面２１８又は２２０に対向する第２の表面２４０又は２４２を含み、導電経路２３６及び２３８の各々は、第２の表面２４０又は２４２の対応する１つまで延びる。これら２つの導電面２４０及び２４２の提供により、設置されたフィードスルー２００のより狭窄された共通ルーメン２３０内部でそれらを作る必要なしに、半田接合又は溶接接合などの電気接続をパネル１０の対向面にそれぞれ配置された構成要素又は配線に作ることが可能になる。
【００４６】
図３Ａは、本開示による、フィードスルー３００の別の例の端及び側面の斜視図である。図３Ｂは、図３Ａの例示的フィードスルーの中間部分の拡大された側面の斜視図であり、図３Ｃ及び図３Ｄは、図３Ａのフィードスルーの第１の部分３０２及び第２の部分３０４の末端及び側面の斜視図である。これらの図から理解できるように、例示的フィードスルー３００は、図２Ａ及び図２Ｂの例示的フィードスルー２００に対して多くの点で類似しており、主に相補的係合機構３２６及び３２８が実施される方法において例示的フィードスルー２００と異なる。
【００４７】
特に、２つの環状セグメント３１４及び３１６の内径及び外径それぞれが同一であり、例えば、図３Ｂにおいて示されるように、係合機構３２６及び３２８が、２つの管状セグメント３１４及び３１６の関連する１つの末端でそれぞれ形成された相補的キャスタレーション３４４を備えることに留意されたい。各キャスタレーション３４４又は３４６は、他の部分３０２又は３０４の末端の相補的ノッチ３５０内部に係合する。加えて、各キャスタレーション３４４及び３４６は、その対応する末端から後方に延びる縦スロット３４８によって分岐する。前述のように、縦スロット３４８により、関連するキャスタレーション３４４又は３４６の半分の末端は、横向きに、即ち、周方向に、跳ね返ることができ、よって、キャスタレーション半分の反対の側面に配置された縦方向に延び、周方向に突出する歯のそれぞれの群３５２は、２つの部分３０２及び３０４が押されて互いに縦方向に係合するときに、跳ね返り互いに嵌合することができる。本例において、２つの部分３０２及び３０４が互いに同一であり、これにより、部分の数の削減、ひいてはフィードスルー３００のコスト削減が実現可能であることに留意されたい。
【００４８】
図４Ａは、本開示による、フィードスルー４００の別の例の端及び側面の斜視図である。図４Ｂは、図４Ａの例示的フィードスルーの端及び側面の断面斜視図であり、図４Ｄ及び図４Ｃは、それぞれ図４Ａのフィードスルーの第１の部分４０２及び第２の部分４０４の末端及び側面の斜視図である。この例示的フィードスルー４００は、相補的係合機構に関するものを除き、図３のフィードスルーとある程度類似している。この例において、２つの部分４０２、４０４が貫通開口２４の中で一緒に押されるときに嵌合する、第２の部分４０４、又は単一の周方向に延び、半径方向に突出する歯４５２、第１の部分４０２については、周方向に延び、半径方向に突出する歯の群４５０をそれぞれ収容するために、管状セグメント４１６及び４１８の末端部分の内周壁及び外周壁それぞれの厚さは、両方とも低減される。図４の１つの例では、第２の部分４０４におけるグループ４５０の歯が内側に向かって半径方向に突出しているのに対し、単一の歯４５２は、外側に向かって半径方向に突出している。
【００４９】
図５は、別の例示的フィードスルー５００の端及び側面の断面斜視図である。例のフィードスルー５００は、相補的係合機構５２６、５２８が、管状セグメント５１４、５１６の関連する１つの末端から、管状セグメント５１４又は５１６のもう１つの末端を越えて縦方向に延びるフィンガ５５４を備えることを除き、前述の例と類似する。図５に示されるように、これらのフィンガ５５４の各々は、フィンガ５５４を放射方向に曲げられるように、前述のように、管状セグメント５１４、５１６の対応する１つの側壁に配置された一対の縦方向に延びるスロット５４８によって画定することができ、フィンガ５５４の各々は、他の管状セグメント５１４又は５１６の側壁の対応する相補的溝５５８内で係合するその末端で半径方向に延びる歯５５６を含むことができる。
【００５０】
本例の特徴は、１つの部分の外径が、拡大されていない状態のパネル１０、面シート１６又は１８を通過し、次いで他の部分と係合するまで拡大できることである。これにより、パネル１０の貫通開口２４は、管状セグメント５１４及び５１６の拡大していない外径と同一の直径となり得、よってパネル１０で必要とされる貫通開口２４のサイズを最小化することができる。
【００５１】
図６Ａは、フィードスルー６００の別の例の端及び側面の斜視図である。図６Ｂは、図６Ａの例示的フィードスルー６００の端及び側面の断面斜視図であり、図６Ｄ及び図６Ｃは、それぞれフィードスルー６００の第１の部分６０２及び第２の部分６０４の末端及び側面の斜視図である。
【００５２】
フィードスルー６００は、第１の部分６０２の管状セグメント６１４の末端から縦方向に延びる縦フィンガ６５４が、第２の部分６０４の管状セグメント６１６の末端部分の外周面に配置された対応する縦スロット６５６に受容されることを除き、図５のフィードスルーと類似である。加えて、図６Ｂの断面図から分かるように、各縦フィンガ６５４の末端部分には、オーバーセンターロッキング式に係合する第２の部分６０４の管状セグメント６１６の側壁の対応する貫通スロット６５２で受容される、半径方向に延びる歯６５０が提供される。加えて、例えば、図６Ａに見られるように、複数のスロット６５８はそれぞれ、関連するフランジ開口６１２から貫通スロット６５２の対応するスロット内へ、第２の部分６０４の管状セグメント６１６の内周面を縦方向に延びる。内側の縦スロット６５８により、第２の部分６０４のフランジ開口６１２に挿入されたツール（図示されず）は、フィードスルー６００を内部で組み立てられたパネル１０から容易に取り外すことができないように、それらそれぞれの貫通スロット６５２との係合から縦フィンガ６５４のそれぞれの歯６５０を押圧することができるようになる。
【００５３】
図７は、本開示の新規のフィードスルーを使用するための例示的方法７００の機能的ブロック図である。したがって、例示的方法７００のＳ１では、それを介して、例えば電気信号などの、信号を伝達するために望ましいパネルに、穴が形成される。方法のＳ２では、２つのフィードスルー部分のそれぞれの末端が、穴の反対端の対応する１つに挿入される。Ｓ３では、相補的係合機構が噛合形式で互いに係合するように、フィードスルーの２つの部分が、穴内部で縦方向に一緒に押しつけられ、２つの部分のフランジ各々の第１の表面がパネルの対向面の対応する１つに対して保持され、管状セグメントのそれぞれのセグメントのルーメンが、設置されたフィードスルーの共通のルーメンを形成するために互いに概して同心円状に配置される。Ｓ４では、ある場合には、共通のルーメンを通して挿入された導電ワイヤ経由で、又は代替的には、先述のように、共通ルーメンの内表面に配置された導電経路を介して、フィードスルーの共通ルーメンを通して、信号が伝達される。
【００５４】
当業者がそろそろ理解することになるように、かつ当面の特定の用途に応じて、本開示の精神及び範囲から逸脱することなく、本開示の材料、装置、構成及び方法の中で及びそれらに対して、多くの修正例、代替例及び変形例を実行することができる。これに鑑み、本明細書に図示及び記載された特定の実施形態は、本発明のいくつかの例によるものに過ぎず、むしろ、以下に添付する特許請求の範囲及びそれらの機能的均等物と完全に同等であるため、本発明の範囲は、それら特定の実施形態に限定されると見なされるべきではない。
【図１】
0006693845.tif 000002
【図２Ａ】
0006693845.tif 000003
【図２Ｂ】
0006693845.tif 000004
【図３Ａ】
0006693845.tif 000005
【図３Ｂ】
0006693845.tif 000006
【図３Ｃ】
0006693845.tif 000007
【図３Ｄ】
0006693845.tif 000008
【図４Ａ】
0006693845.tif 000009
【図４Ｂ】
0006693845.tif 000010
【図４Ｃ】
0006693845.tif 000011
【図４Ｄ】
0006693845.tif 000012
【図５】
0006693845.tif 000013
【図６Ａ】
0006693845.tif 000014
【図６Ｂ】
0006693845.tif 000015
【図６Ｃ】
0006693845.tif 000016
【図６Ｄ】
0006693845.tif 000017
【図７】
0006693845.tif 000018